(57)【要約】【課題】設定されたコンテンツに対する処理の実行開始前に当該処理の実行の可否や変更操作におけるユーザに対する操作性及び利便性を向上させること。【解決手段】音声入力部と、音声入力部により入力された音声を解析して認識する音声認識部と、音声出力のための音声を合成する音声合成部と、音声合成部により合成された音声を出力する音声出力部と、コンテンツに対する動作を予め設定した予約設定情報を記憶する記憶部と、予約設定情報に基づいた処理が実行される所定時間前に、予約設定情報に関する情報を出力部より出力し、予約設定情報に関する情報の出力に対する応答として音声入力部より入力された音声を音声認識部により認識して予約設定情報に基づいた処理実行の可否を判別し、当該判別の結果に応じた処理を実行する制御部と、を備える予約装置。【選択図】図３
2007213285.tif 000002
【特許請求の範囲】
【請求項１】
音声入力手段と、
前記音声入力手段により入力された音声を解析して認識する音声認識手段と、
音声出力のための音声を合成する音声合成手段と、
前記音声合成手段により合成された音声を出力する出力手段と、
コンテンツに対する動作を予め設定した予約設定情報を記憶する記憶手段と、
前記予約設定情報に基づいた処理が実行される所定時間前に、前記予約設定情報に関する情報を前記出力手段より出力し、前記予約設定情報に関する情報の出力に対する応答として前記音声入力手段より入力された音声を前記音声認識手段により認識して前記予約設定情報に基づいた処理実行の可否を判別し、当該判別の結果に応じた処理を実行する制御手段と、
を備えること、
を特徴とする予約装置。
【請求項２】
前記制御手段は、
前記予約設定情報に基づいた処理実行の判別の結果が実行可である場合、前記予約設定情報に基づいた処理を実行し、
前記予約設定情報に基づいた処理実行の判別の結果が実行不可である場合、前記予約設定情報に基づく処理が実行される時間の直前に実行されている動作を継続させること、
を特徴とする請求項１記載の予約装置。
【請求項３】
前記制御手段は、
前記予約設定情報に基づいた処理実行の判別の結果が実行不可であり、かつ、当該予約設定情報が周期的な日時条件を含む場合、前記記憶手段に記憶されている当該予約設定情報を破棄せずに保持させること、
を特徴とする請求項１又は２記載の予約装置。
【請求項４】
コンピュータに、
音声入力手段、
前記音声入力手段により入力された音声を解析して認識する音声認識手段、
音声出力のための音声を合成する音声合成手段、
前記音声合成手段により合成された音声を出力する出力手段、
コンテンツに対する動作を予め設定した予約設定情報を記憶する記憶手段、
前記予約設定情報に基づいた処理が実行される所定時間前に、前記予約設定情報に関する情報を前記出力手段より出力し、前記予約設定情報に関する情報の出力に対する応答として前記音声入力手段より入力された音声を前記音声認識手段により認識して前記予約設定情報に基づいた処理実行の可否を判別し、当該判別の結果に応じた処理を実行する制御手段、
として機能させるためのプログラム。
【発明の詳細な説明】
【技術分野】
【０００１】
本発明は、予約装置及びプログラムに関する。
【背景技術】
【０００２】
近年、音声認識技術が発展し、テレビジョン受像機、ラジオ受信機、車載ナビゲーション、携帯電話、パーソナルコンピュータ等の機器に搭載されつつある。
【０００３】
この音声認識技術をこれらの機器に搭載した装置として、例えば、音声対話入力形式でユーザが機器を制御するネットワーク制御装置が開示されている（特許文献１参照）。このような音声対話形式の技術を用いて放送番組の予約を行う機器も登場しつつある。
【０００４】
また、予約した放送番組の放送時刻の前（予約時間の所定時間前）に予約した放送番組に関する情報を報知し、当該報知に対する応答に基づいて設定された応答動作を実行する番組予約装置が開示されている（特許文献２参照）。
【特許文献１】特開２００１−３０６１９９号公報
【特許文献２】特開２００５−１７５５１９号公報
【発明の開示】
【発明が解決しようとする課題】
【０００５】
しかしながら、特許文献１のような装置は、音声対話方式を用いてユーザの要望や指示に応じて機器の設定を行って制御するものにすぎず、機器側からユーザの要望や指示に従って設定された情報や処理等を事前に報知し、当該処理を実行する前に実行の是非や変更等のユーザの判断を仰ぐということは行われていなかった。
【０００６】
また、特許文献２のような装置は、機器側からユーザによって設定された情報や処理（放送番組の予約）を実行する前に報知するが、ユーザの意思に関係無く予めユーザの位置に対応して設定された応答動作に基づいて処理されるものであり、また、この応答処理は一義的に処理されるものであり、音声対話形式を用いるものではない。
【０００７】
従って、音声対話形式で放送番組の視聴や録画及び録音等の処理を設定した場合、当該放送番組に対する処理の開始前に当該放送番組に対する処理開始の報知をユーザに対して行うことはできても、当該放送番組に対する処理の実行の可否やこの可否に伴う変更操作について、音声対話方式によりユーザが設定することはできず、手動操作により変更操作を行う必要があり、煩雑な作業となっている。特に、車載オーディオ装置や車載ナビゲーション装置等のユーザが運転しながら用いられ装置の場合、所望の結果が得られなかった場合には、運転中に手動操作を行わなくてはならず、事故発生の要因となる怖れがあり危険である。
【０００８】
本発明は、上記問題に鑑みて、設定されたコンテンツに対する処理の実行開始前に当該処理の実行の可否や変更操作におけるユーザに対する操作性及び利便性を向上させることである。
【課題を解決するための手段】
【０００９】
請求項１に記載の発明は、
音声入力手段と、
前記音声入力手段により入力された音声を解析して認識する音声認識手段と、
音声出力のための音声を合成する音声合成手段と、
前記音声合成手段により合成された音声を出力する出力手段と、
コンテンツに対する動作を予め設定した予約設定情報を記憶する記憶手段と、
前記予約設定情報に基づいた処理が実行される所定時間前に、前記予約設定情報に関する情報を前記出力手段より出力し、前記予約設定情報に関する情報の出力に対する応答として前記音声入力手段より入力された音声を前記音声認識手段により認識して前記予約設定情報に基づいた処理実行の可否を判別し、当該判別の結果に応じた処理を実行する制御手段と、
を備える予約装置であることを特徴としている。
【００１０】
請求項２に記載の発明は、請求項１記載の予約装置において、
前記制御手段は、前記予約設定情報に基づいた処理実行の判別の結果が実行可である場合、前記予約設定情報に基づいた処理を実行し、前記予約設定情報に基づいた処理実行の判別の結果が実行不可である場合、前記予約設定情報に基づく処理が実行される時間の直前に実行されている動作を継続させること、
を特徴としている。
【００１１】
請求項３に記載の発明は、請求項１又は２記載の予約装置において、
前記制御手段は、前記予約設定情報に基づいた処理実行の判別の結果が実行不可であり、かつ、当該予約設定情報が周期的な日時条件を含む場合、前記記憶手段に記憶されている当該予約設定情報を破棄せずに保持させること、を特徴としている。
【００１２】
請求項４に記載の発明は、
コンピュータに、
音声入力手段、
前記音声入力手段により入力された音声を解析して認識する音声認識手段、
音声出力のための音声を合成する音声合成手段、
前記音声合成手段により合成された音声を出力する出力手段、
コンテンツに対する動作を予め設定した予約設定情報を記憶する記憶手段、
前記予約設定情報に基づいた処理が実行される所定時間前に、前記予約設定情報に関する情報を前記出力手段より出力し、前記予約設定情報に関する情報の出力に対する応答として前記音声入力手段より入力された音声を前記音声認識手段により認識して前記予約設定情報に基づいた処理実行の可否を判別し、当該判別の結果に応じた処理を実行する制御手段、
として機能させるためのプログラムであること、を特徴としている。
【発明の効果】
【００１３】
本発明によれば、設定されたコンテンツに対する処理の実行開始前に、音声を用いてユーザに予約設定情報に関する情報を報知することができると共に、この報知に対する応答として入力されたユーザの音声に応じて設定されたコンテンツの処理実行を行うことができるため、当該処理の実行の可否確認や、予約忘れの防止、予約の変更操作等を、音声操作で可能となるため、手動操作の手間を省くことができ、ユーザに対する操作性及び利便性を向上させることができる。
【発明を実施するための最良の形態】
【００１４】
以下、図を参照して本発明の実施の形態を詳細に説明する。
まず、構成を説明する。
図１に、本実施の形態における予約装置１の主要制御構成図を示す。
【００１５】
図１に示すように、予約装置１は、制御部１０、記憶部１１、オーディオ再生部１２、ラジオチューナ１３、テレビチューナ１４、音声認識部１５、音声合成部１６、音声入力部２１及び操作入力部２２を有する入力部２０、音声出力部３１及び表示部３２を有する出力部３０を備えて構成されており、各部はバス等により電気的に接続されている。
【００１６】
制御部１０は、ＣＰＵ（Central Processing Unit）、ＲＯＭ（Read Only Memory）、ＲＡＭ（Random Access Memory）、ＨＤＤ（Hard Disk Drive）等により構成され、ＲＯＭやＨＤＤに記憶された各種データやシステムプログラム等をＲＡＭやＨＤＤ内に展開し、これらのプログラム及びデータとの協働により、予約装置１全体を統括的に制御し、音声対話方式を用いてユーザが予約装置１を制御するエージェント機能を実現するものである。
【００１７】
エージェント機能とは、ユーザによる指示に対して機器が自立的に処理を行う機能であり、ここでは、音声対話を行うことによって機器（本実施の形態においては予約装置１）の動作や設定を行う機能である。
【００１８】
本実施の形態において、制御部１０は、エージェント機能を用いて、音声入力部２１により入力されたユーザの音声がコンテンツに対する動作情報の予約設定の指示である場合、音声入力部２１から入力される音声に対して後述する予約設定情報の設定を促す提示情報が音声として合成された出力メッセージを出力部３０により報知させ、この報知された出力メッセージに対する応答として音声入力部２１により入力される音声に応じて予約設定情報を設定し、記憶部１１に記憶させる。
【００１９】
また、制御部１０は、エージェント機能を用いて、記憶部１１に記憶されている予約設定情報に基づいた処理が実行される所定時間前に、予約設定情報に関する情報を音声として合成された出力メッセージとして出力部３０により報知させ、当該予約設定情報に関する情報の報知に対する応答として音声入力部２１により入力される音声を音声認識部１５により認識させて予約設定情報に基づいた処理実行の可否を判別し、当該判別の結果に応じた処理を実行させる制御手段である。
【００２０】
予約設定情報とは、楽曲や放送番組等の予約対象となるコンテンツの種類と、予約対象となるコンテンツに関する複数の設定項目（以下、予約設定項目）とが含まれている。予約設定項目としては、当該コンテンツに関する動作の種類（例えば、録音、録画、視聴）、予約設定情報に基づく処理が実行される日時、即ち、当該コンテンツの動作を開始する日時（以下、開始日時）、当該コンテンツの動作を終了させる日時（以下、終了日時）、当該コンテンツの動作の時刻における周期的な日時条件、例えば、毎日、毎週、毎月、毎年等（以下、周期的日時条件）など、予約対象となるコンテンツに対して設定された情報である。
【００２１】
また、制御部１０は、音声入力部２１により入力された音声に基づいて、予約設定情報に基づいた処理実行の判別の結果が実行可であると判別した場合、予約設定情報に基づいた処理を実行させ、予約設定情報に基づいた処理実行の判別の結果が実行不可であると判別した場合、予約設定情報に基づく処理が実行される時間の直前に実行されている動作を継続させる。
【００２２】
更に、制御部１０は、記憶部１１に記憶されている当該予約設定情報内に周期的日時条件が含まれているか否かを判別し、記憶部１１に記憶されている当該予約設定情報内に周期的日時条件が含まれていると判別した場合には、記憶部１１に記憶されている当該予約設定情報を保持させ、記憶部１１に記憶されている当該予約設定情報内に周期的日時条件が含まれていないと判別した場合には、記憶部１１に記憶されている当該予約設定情報を破棄させる。
【００２３】
なお、コンテンツに関する動作の種類が録音又は録画である場合には、録音又は録画されるコンテンツの情報が制御部１０内のＨＤＤや記憶部１１内に記憶されることとするが、これに限らない。
【００２４】
記憶部１１は、予約設定情報を記憶する記憶手段であり、磁気的、光学的記憶媒体若しくは半導体メモリで構成される電気的に消去及び書き換え可能な不揮発性の記憶媒体で構成されている。記憶部１１としては、例えば、ＨＤＤ、ＥＥＰＲＯＭ（Electrically Erasable and Programmable ROM）やフラッシュメモリなどが挙げられる。なお、記憶部１１は、着脱自在に装着可能な構成としてもよい。
【００２５】
オーディオ再生部１２は、ＤＶＤプレイヤー、ＣＤプレイヤーやＭＤプレイヤー等の再生装置を備え、この再生装置に挿入されたＤＶＤ、ＣＤ、ＭＤ等や制御部１０内のＨＤＤ等の記録媒体に記録された楽曲、ラジオチューナ１３を介して受信されたラジオ放送番組、テレビチューナ１４を介して受信されたテレビ放送番組などのコンテンツを再生する装置である。
【００２６】
音声認識部１５は、音声入力部２１から入力されたユーザの音声を解析して認識する音声認識手段としての装置であり、例えば、人間の発声の小さな単位（音素）の音響特徴が記述された音響モデルと音声認識させる言葉が記述された認識辞書とを備え、音声入力部２１から入力された音声を分析して音響特徴を算出し、認識辞書に記述されている言葉の中から、言葉の音響特徴が入力音声の音響特徴に最も近い言葉を探して音声認識結果として出力する。
【００２７】
音声合成部１６は、ユーザに対する提示情報を音声出力のための音声として合成し、合成された音声を出力メッセージとして音声出力部３１に出力する音声合成手段としての装置である。
【００２８】
入力部２０は、音声入力部２１と操作入力部２２を有している。
音声入力部２１としては、ユーザが発する音声を入力するマイクロフォン等であり、入力した音声を音声認識部１５により処理する。
【００２９】
操作入力部２２は、予約装置１の各種動作指示を受け付けるためのカーソルキー、数字入力キー及び各種機能キー等を備えたコントローラ、各種スイッチ、表示部３２の表示画面を覆うように設けられたタッチパネル等であり、動作指示を制御部１０に出力する。
【００３０】
出力部３０は、ユーザに対する提示情報が音声として合成された出力メッセージと共にユーザに対して報知する手段であり、音声出力部３１と表示部３２を有している。
【００３１】
音声出力部３１としては、音声合成部１６により合成された音声である出力メッセージを出力する出力手段であり、例えば、音声をユーザに発するスピーカを挙げることができる。また、表示部３２は、ＬＣＤ（Liquid Crystal Display）やＥＬ（Electro Luminescence）ディスプレイ等によって構成され、表示画面上にエージェント機能のキャラクタの画像を表示させたり提示情報に関する画像を表示したり、予約装置１内の各種機能等を表示する。
【００３２】
次に、本実施の形態の動作を説明する。
図２に、本実施の形態におけるコンテンツの予約処理のフローチャートを示す。
【００３３】
制御部１０は、音声入力部２１により入力された音声が、コンテンツに対する動作の予約設定指示であるか否かを判別し（ステップＳ１）、予約設定指示でないと判別した場合（ステップＳ１；Ｎｏ）、音声が入力されるまで待機する。
【００３４】
制御部１０は、コンテンツに対する動作の予約設定指示であると判別した場合（ステップＳ１；Ｙｅｓ）、予約対象となるコンテンツの種類を選択指示願う旨の出力メッセージを報知するよう出力部３０に指示し、出力部３０は、表示部３２にキャラクタの画像を表示し、かつ、音声出力部３１から音声による出力メッセージを報知する（ステップＳ２）。
【００３５】
制御部１０は、音声入力部２１により入力された音声が予約対象となるコンテンツの種類を示す選択指示であるか否かを判別する（ステップＳ３）。
【００３６】
制御部１０は、予約対象となるコンテンツの種類を示す選択指示でないと判別した場合（ステップＳ３；Ｎｏ）、ステップＳ２における出力メッセージを報知した時刻から予め設定された時間が経過したか否かを判別し（ステップＳ４）、予め設定された時間が経過していないと判別した場合（ステップＳ４；Ｎｏ）、ステップＳ２に戻る。
【００３７】
制御部１０は、予め設定された時間が経過したと判別した場合（ステップＳ４；Ｙｅｓ）、本処理を終了させる。
【００３８】
制御部１０は、予約対象となるコンテンツの種類を示す選択指示であると判別した場合（ステップＳ３；Ｙｅｓ）、選択指示された予約対象となるコンテンツに関する予約設定項目を選択指示願う旨の出力メッセージを報知するよう出力部３０に指示し、出力部３０は、表示部３２にキャラクタの画像を表示し、かつ、音声出力部３１から音声による出力メッセージを報知する（ステップＳ５）。
【００３９】
制御部１０は、音声入力部２１により入力された音声が予約対象となるコンテンツの予約設定項目を示す選択指示であるか否かを判別する（ステップＳ６）。
【００４０】
制御部１０は、予約対象となるコンテンツの予約設定項目を示す選択指示でないと判別した場合（ステップＳ６；Ｎｏ）、ステップＳ６における出力メッセージを報知した時刻から予め設定された時間が経過したか否かを判別し（ステップＳ７）、予め設定された時間が経過していないと判別した場合（ステップＳ７；Ｎｏ）、ステップＳ６に戻る。
【００４１】
制御部１０は、予め設定された時間が経過したと判別した場合（ステップＳ７；Ｙｅｓ）、本処理を終了させる。
【００４２】
制御部１０は、予約対象となるコンテンツの予約設定項目を示す選択指示であると判別した場合（ステップＳ６；Ｙｅｓ）、選択指示された予約対象となるコンテンツの種類と、予約設定項目とを予約設定情報として記憶部１１に記憶させる（ステップＳ８）。
【００４３】
制御部１０は、音声入力部２１により入力された音声が、コンテンツに対する動作の予約設定を終了させる指示であるか否かを判別する（ステップＳ９）。
【００４４】
制御部１０は、コンテンツに対する動作の予約設定を終了させる指示でないと判別した場合（ステップＳ９；Ｎｏ）、ステップＳ８における予約設定情報を記憶させた時刻から予め設定された時間が経過したか否かを判別し（ステップＳ１０）、予め設定された時間が経過していないと判別した場合（ステップＳ１０；Ｎｏ）、ステップＳ９に戻る。
【００４５】
また、制御部１０は、ステップＳ８における予約設定情報を記憶させた時刻から予め設定された時間が経過したと判別した場合（ステップＳ１０；Ｙｅｓ）、本処理を終了させる。
【００４６】
制御部１０は、コンテンツに対する動作の予約設定を終了させる指示であると判別した場合（ステップＳ９；Ｙｅｓ）、コンテンツに対する動作の予約設定終了を示す旨の出力メッセージを報知するよう出力部３０に指示し、出力部３０は、表示部３２にキャラクタの画像を表示し、かつ、音声出力部３１から音声による出力メッセージを報知する（ステップＳ１１）。そして、制御部１０は、本処理を終了させる。
【００４７】
図３に、本実施の形態におけるコンテンツの予約報知処理のフローチャートを示す。
制御部１０は、記憶部１１に記憶されている予約設定情報のうち、現在日時が開始日時から予め設定された所定時間前の日時（例えば、開始日時から５分前の日時）である予約設定情報の有無を判別し（ステップＳ２１）、開始日時から予め設定された所定時間前の日時である予約設定情報が無いと判別した場合（ステップＳ２１；Ｎｏ）、待機する。
【００４８】
制御部１０は、現在日時が開始日時から予め設定された所定時間前の日時である予約設定情報が有ると判別した場合（ステップＳ２１；Ｙｅｓ）、この予約設定情報に基づく処理実行の可否を問う旨の出力メッセージを報知するよう出力部３０に指示し、出力部３０は、表示部３２にキャラクタの画像を表示し、かつ、音声出力部３１から音声による出力メッセージを報知する（ステップＳ２２）。
【００４９】
制御部１０は、音声入力部２１により入力された音声がステップＳ２２においてユーザに報知した出力メッセージに応答する音声であるか否かを判別する（ステップＳ２３）。
【００５０】
制御部１０は、音声入力部２１により入力された音声がステップＳ２２においてユーザに報知した出力メッセージに応答する音声でないと判別した場合（ステップＳ２３；Ｎｏ）、ステップＳ２２における出力メッセージを報知した時刻から予め設定された時間が経過したか否かを判別し（ステップＳ２４）、予め設定された時間が経過していないと判別した場合（ステップＳ２４；Ｎｏ）、ステップＳ２３に戻る。
【００５１】
また、制御部１０は、ステップＳ２２における出力メッセージを報知した時刻から予め設定された時間が経過したと判別した場合（ステップＳ２４；Ｙｅｓ）、ステップＳ２７に進む。
【００５２】
制御部１０は、音声入力部２１により入力された音声がステップＳ２２においてユーザに報知した出力メッセージに応答する音声であると判別した場合（ステップＳ２３；Ｙｅｓ）、当該音声入力メッセージに基づいて、予約設定情報に基づく処理実行の可否を判別する（ステップＳ２５）。
【００５３】
例えば、ステップＳ２２において、ユーザに対して予約設定情報として設定されたコンテンツの動作実行を行うか否かを示す出力メッセージとして「○○番組の視聴を△時から▽時まで実行しますか？」という出力メッセージを報知する。ユーザは、この出力メッセージにおける動作を実行させたい場合には「はい」等の肯定的な返答音声、実行させたくない場合には「いいえ」等の否定的な返答音声を音声入力部２１に入力する。制御部１０は、この音声入力部２１から入力された音声により、予約設定情報に基づく処理実行の可否を判別する。
【００５４】
制御部１０は、予約設定情報に基づく処理実行の判別の結果が実行不可を示すものである場合（ステップＳ２５；Ｎｏ）、現在日時が予約設定情報の開始日時に至っても、予約設定情報に基づく処理実行をせずに、予約設定情報に基づく処理が実行される時間の直前に実行されている動作を継続的に実行させるよう指示する（ステップＳ２６）。
【００５５】
制御部１０は、予約設定情報に基づく処理実行の判別の結果が実行可を示すものである場合（ステップＳ２５；Ｙｅｓ）、現在日時が予約設定情報の開始日時に至ったとき、予約設定情報に基づく処理を実行させるよう指示する（ステップＳ２７）。
【００５６】
制御部１０は、ステップＳ２６又はステップＳ２７後、予約設定情報には周期的日時条件が設定されているか否かを判別し（ステップＳ２８）、周期的日時条件が設定されている（周期的日時条件有り）と判別した場合（ステップＳ２８；Ｎｏ）、記憶部１１に記憶されている当該予約設定情報を保持させたまま（ステップＳ２９）、本処理を終了させる。
【００５７】
制御部１０は、周期的日時条件が設定されていない（周期的日時条件無し）と判別した場合（ステップＳ２８；Ｙｅｓ）、記憶部１１に記憶されている当該予約設定情報を破棄（消去）させ（ステップＳ３０）、本処理を終了させる。
【００５８】
以上のように、本実施形態によれば、設定されたコンテンツに対する処理の実行開始前に、音声を用いてユーザに予約設定情報に関する情報を報知することができると共に、この報知に対する応答として受け付けられたユーザの音声に応じた設定されたコンテンツの処理実行を行うことができるため、当該処理の実行の可否やこの可否に伴う変更操作における手動操作の手間を省くことができ、ユーザに対する操作性及び利便性を向上させることができる。
【００５９】
また、予約設定情報に基づく処理実行の可否の判別結果が予約設定情報に基づいた処理実行不可である場合には、予約設定情報に基づく処理が実行される時間の直前において実行されている動作を継続させることができるため、ステップＳ２２の出力メッセージに対する応答をする前の状態にユーザが戻す操作する手間を省くことができ、使い勝手を向上させることができる。
【００６０】
また、予約設定情報に基づく処理実行の可否の判別結果が予約設定情報に基づいた処理実行不可である場合であっても、この予約設定情報に周期的日時条件が設定されている場合には、予約設定情報を破棄せずに保持させることにより、再度、予約設定情報を設定する手間を省くことができると共に、再設定忘れによるコンテンツの処理実行の機会を逃すという問題を解消させることができる。
【００６１】
なお、本発明は、上記実施形態に限らず、適宜変更可能であるのは勿論である。
例えば、本実施形態の予約装置１を車等に搭載されるオーディオ装置や、楽曲やラジオ放送番組やテレビ放送番組を視聴又は録音・録画することができ携帯可能な携帯情報端末機器（例えば、携帯音楽プレイヤー、携帯電話、ＰＤＡ（Personal Digital Assistance）等）、楽曲やラジオ放送番組やテレビ放送番組を視聴又は録音・録画可能なその他電子機器に備えられても良い。
【００６２】
また、図３に説明した本発明の実施形態においては、ステップＳ２５がＹｅｓの場合に予約設定情報に基づく処理を実行するとしたが、この予約設定が録音や録画である場合には、予約設定情報に基づく処理を実行しつつ、再生等の現在の状態を維持しても良い。
【００６３】
更に、予約設定情報に基づいた処理が実行される所定時間前の報知に対しても、エージェント機能を利用して、報知の要否の設定、予約設定情報に基づいた処理を実行する所定時間の設定等を行うことも可能である。
【図面の簡単な説明】
【００６４】
【図１】本実施の形態における予約装置１の主要制御構成図である。
【図２】本実施の形態におけるコンテンツの予約処理のフローチャートである。
【図３】本実施の形態におけるコンテンツの予約報知処理のフローチャートである。
【符号の説明】
【００６５】
１  予約装置
１０  制御部
１１  記憶部
１２  オーディオ再生部
１３  ラジオチューナ
１４  テレビチューナ
１５  音声認識部
１６  音声合成部
２０  入力部
２１  音声入力部
２２  操作入力部
３０  出力部
３１  音声出力部
３２  表示部
【図１】
2007213285.tif 000003
【図２】
2007213285.tif 000004
【図３】
2007213285.tif 000005